(57)【要約】【課題】開閉体を往復揺動操作するだけで、洗浄開口を開放し、あるいは閉止することができる水洗い式電気かみそりを提供することにある。【解決手段】かみそりヘッド２に可動刃６と固定刃７とが設けられており、固定刃７と、固定刃７を支持する固定刃ホルダー８で囲まれた毛屑室１６の底面に、毛屑を受止める毛屑受部１７が設けられている。毛屑室１６に臨むケース壁に、毛屑室１６に連通する洗浄開口２０と、同開口２０を開閉する開閉体２６とが設けられている。開閉体２６は上下方向中途部に設けた水平の回動軸２３で揺動開閉可能に支持されて、洗浄開口２０を閉止する閉止姿勢と、洗浄開口２０を開放する開放姿勢とに変位可能である。【選択図】図１
2020093070.tif 000002
【特許請求の範囲】
【請求項１】
かみそりヘッド（２）に可動刃（６）と固定刃（７）とが設けられており、
固定刃（７）と、固定刃（７）を支持する固定刃ホルダー（８）で囲まれた毛屑室（１６）の底面に、毛屑を受止める毛屑受部（１７）が設けられており、
毛屑室（１６）に臨むケース壁に、毛屑室（１６）に連通する洗浄開口（２０）と、同開口（２０）を開閉する開閉体（２６）とが設けられており、
開閉体（２６）は上下方向中途部に設けた水平の回動軸（２３）で揺動開閉可能に支持されて、洗浄開口（２０）を閉止する閉止姿勢と、洗浄開口（２０）を開放する開放姿勢とに変位可能であることを特徴とする水洗い式電気かみそり。
【請求項２】
開閉体（２６）は、開閉体（２６）の下半側に設けた水平の回動軸（２３）で揺動開閉可能に支持されて、洗浄開口（２０）を閉止する閉止姿勢と、洗浄開口（２０）を開放する開放姿勢とに変位可能であることを特徴とする請求項１に記載の水洗い式電気かみそり。
【請求項３】
開閉体（２６）の外面の上半部に、開閉体（２６）を開放操作する指受部（２７）が膨出形成されていることを特徴とする請求項２に記載の水洗い式電気かみそり。
【請求項４】
指受部（２７）が、上下方向に長い複数の縦リブ（２７ａ）で形成されていることを特徴とする請求項３に記載の水洗い式電気かみそり。
【請求項５】
洗浄開口（２０）の周壁と開閉体（２６）の間に、互いに係合して開閉体（２６）を閉止位置、および開放位置において位置保持する節度構造が設けられていることを特徴とする請求項１から４のいずれかひとつに記載の水洗い式電気かみそり。
【請求項６】
節度構造が、開閉体（２６）に設けた部分円弧状の節度アーム（２４）と、節度アーム（２４）の揺動軌跡に臨む洗浄開口（２０）の周壁との間に形成されて互いに凹凸係合する、可動節度体（２８・２９）と固定節度体（３０）とで形成されていることを特徴とする請求項５に記載の水洗い式電気かみそり。
【請求項７】
開閉体（２６）に、開閉体（２６）が閉止位置を越えて揺動するのを阻止する閉止ストッパー（３２）と、開閉体（２６）が開放位置を越えて揺動するのを阻止する開放ストッパー（３１）とが設けられていることを特徴とする請求項１から６のいずれかひとつに記載の水洗い式電気かみそり。
【請求項８】
節度アーム（２４）の突端に開放ストッパー（３１）が設けられており、
洗浄開口（２９）の周縁壁の下部に、開放ストッパー（３１）を受止める下接当部（３３）が形成されていることを特徴とする請求項７に記載の水洗い式電気かみそり。
【請求項９】
開閉体（２６）の上部に閉止ストッパー（３２）が設けられており、
洗浄開口（２０）の周壁の上部に、閉止ストッパー（３２）を受止める上接当部（３４）が形成されていることを特徴とする請求項７、または８に記載の水洗い式電気かみそり。
【発明の詳細な説明】
【技術分野】
【０００１】
本発明は、毛屑室内に溜まっている毛屑を水洗い洗浄することができる水洗い式電気かみそりに関する。
【背景技術】
【０００２】
この種の水洗い式電気かみそりは、本出願人の提案に係る特許文献１に開示されている。特許文献１の電気かみそりにおいては、固定刃ホルダーの前壁に洗浄水窓を開口し、同窓を上下にスライドするシャッターで開閉できるようにしている。洗浄時には、シャッターを開放した状態で、水道水（洗浄水）を洗浄水窓から毛屑室へ流し入れながら可動刃を回転駆動して、毛屑室の内部に溜まった毛屑を洗い流す。
【先行技術文献】
【特許文献】
【０００３】
【特許文献１】特開２０１８−８６６号公報
【発明の概要】
【発明が解決しようとする課題】
【０００４】
本発明の目的は、開閉体を往復揺動操作するだけで、洗浄開口を開放し、あるいは閉止することができる水洗い式電気かみそりを提供することにある。
【課題を解決するための手段】
【０００５】
本発明に係る水洗い式電気かみそりは、図１に示すように、かみそりヘッド２に可動刃６と固定刃７とが設けられており、固定刃７と、固定刃７を支持する固定刃ホルダー８で囲まれた毛屑室１６の底面に、毛屑を受止める毛屑受部１７が設けられている。毛屑室１６に臨むケース壁に、毛屑室１６に連通する洗浄開口２０と、同開口２０を開閉する開閉体２６とが設けられている。開閉体２６は上下方向中途部に設けた水平の回動軸２３で揺動開閉可能に支持されて、洗浄開口２０を閉止する閉止姿勢と、洗浄開口２０を開放する開放姿勢とに変位可能であることを特徴とする。
【０００６】
開閉体２６は、開閉体２６の下半側に設けた水平の回動軸２３で揺動開閉可能に支持されて、洗浄開口２０を閉止する閉止姿勢と、洗浄開口２０を開放する開放姿勢とに変位可能である。
【０００７】
開閉体２６の外面の上半部に、開閉体２６を開放操作する指受部２７が膨出形成されている。
【０００８】
指受部２７が、上下方向に長い複数の縦リブ２７ａで形成されている。
【０００９】
洗浄開口２０の周壁と開閉体２６の間に、互いに係合して開閉体２６を閉止姿勢、および開放姿勢において位置保持する節度構造が設けられている。
【００１０】
節度構造が、開閉体２６の内面下部に設けた部分円弧状の節度アーム２４と、節度アーム２４の揺動軌跡に臨む洗浄開口２０の周壁との間に形成されて互いに凹凸係合する、可動節度体２８・２９と固定節度体３０とで形成されている。
【００１１】
開閉体２６に、開閉体２６が閉止位置を越えて揺動するのを阻止する閉止ストッパー３２と、開閉体２６が開放位置を越えて揺動するのを阻止する開放ストッパー３１とが設けられている。
【００１２】
節度アーム２４の突端に開放ストッパー３１が設けられており、洗浄開口２９の周壁の下部に、開放ストッパー３１を受止める下接当部３３が形成されている。
【００１３】
開閉体２６の上部に閉止ストッパー３２が設けられており、洗浄開口２０の周壁の上部に、閉止ストッパー３２を受止める上接当部３４が形成されている。
【発明の効果】
【００１４】
本発明においては、開閉体２６を水平の回動軸２３で揺動開閉可能に支持して、開放姿勢と閉止姿勢に揺動変位できるようにした。こうした電気かみそりによれば、開閉体２６を往復揺動操作するだけで、洗浄開口２０を開放し、あるいは閉止することができる。
【００１５】
開閉体２６は上下方向中途部に設けた水平の回動軸２３で揺動開閉可能に支持されているので、開閉体２６を開放姿勢にした状態において、洗浄開口２０を回動軸２３より上側の部分と、回動軸２３より下側の部分においてそれぞれ開放させて、洗浄開口２０の上下の開口部分から水道水を毛屑室１６内に供給して、毛屑室１６における毛屑洗浄を広範にわたって行える。例えば、水道水を回動軸２３より上側の部分から毛屑室１６内に流下させながら、回動軸２３より下側の部分を流れる水道水で、下受部１７ｂに溜まっている毛屑を洗い流すことができる。また、上下方向中途部が回動軸２３で揺動開閉可能に支持されている開閉体２６は、回動軸２３より上側の部分と、回動軸２３より下側の部分を押込み操作することで、開閉体２６を開放姿勢と閉止姿勢に切換えることができるので、開閉体２６を開放姿勢や閉止姿勢に移動付勢するばねを省略できる利点もある。
【００１６】
回動軸２３が開閉体２６の下半側に設けられていると、開閉体２６が揺動開閉するときの回動軸２３より上側の部分のモーメントアームを、下側の部分のモーメントアームより大きくできる。そのため、上半側を操作して開閉体２６を開放操作することにより、開閉体２６をより軽快に開放できる。また、開閉体２６の回動軸２３より下側の部分の上下長が小さいので、開閉体２６を開放した場合に、洗浄開口２０の外へ露出する開閉体２６の突出寸法を小さくでき、その分だけ蛇口の吐水部を洗浄開口２０に近付けた状態で水道水を適確に供給できる。
【００１７】
開閉体２６をその下半側に設けた回動軸２３で開閉可能に支持し、開閉体２６の外面の上半部に、開閉体２６を開放操作する指受部２７が膨出形成されていると、指受部２７を押し込み操作することで、開閉体２６の開放操作を容易に行える。例えば、開閉体２６の上半部を直接押し込み操作する場合には、回動軸２３が開閉体２６の下半側に設けられているため、開放操作されたときの開閉体２６の上部は、洗浄開口２０を越えて毛屑室１６の内部まで大きく入り込む。しかし、開閉体２６の外面に膨出形成した指受部２７は開閉体２６の上部より外側にあるので、開閉体２６を開放操作するとき、指が毛屑室１６の内部まで入り込むことがなく、開閉体２６の開閉操作を容易化できる。
【００１８】
指受部２７が上下方向に長い複数の縦リブ２７ａで形成されていると、開閉体２６に衝突した水道水を一群の縦リブ２７ａで整然と分流案内することができる。従って、開閉体２６に衝突した水道水が拡散し、互いに衝突し合うのを解消して、水道水を毛屑室１６の内部および毛屑受部１７へ向かって整然と流動案内できる。
【００１９】
洗浄開口２０の周壁と開閉体２６の間に節度構造が設けられていると、開閉体２６を閉止位置または開放位置において確実に位置保持できる。従って、ひげ剃り時に開閉体２６が誤って開放操作され、あるいは毛屑洗浄時に開閉体２６が水流を受けて不用意に閉止移動するのを確実に防止できる。
【００２０】
開閉体２６に設けた部分円弧状の節度アーム２４と、節度アーム２４の揺動軌跡に臨む洗浄開口２０の周壁との間に設けた、可動節度体２８・２９および固定節度体３０で節度構造を構成する。これによれば、節度アーム２４と洗浄開口２０の周壁の対向面との間に節度構造を設けるため構造に無駄がないうえ、可動節度体２８・２９および固定節度体３０が凹凸係合することで、開閉体２６を閉止姿勢および開放姿勢において確実に位置保持することができる。
【００２１】
開閉体２６に閉止ストッパー３２と開放ストッパー３１を設ける。こうした開閉体２６によれば、開閉体２６が誤って閉止位置を越えて閉止方向へ揺動操作されるのを閉止ストッパー３２で阻止することができ、また、開閉体２６が誤って開放位置を越えて開放方向へ揺動操作されるのを開放ストッパー３１で阻止することができる。因みに、節度構造のみで開閉体２６が閉止姿勢および開放姿勢に位置保持される場合には、勘違いやいたずらによって開閉体２６が強制的に閉止位置を越えて揺動操作され、あるいは開閉体２６が強制的に開放位置を越えて揺動操作されるおそれがある。しかし、開閉体２６に閉止ストッパー３２や開放ストッパー３１が設けられていると、先のような勘違いやいたずらによる誤操作を確実に防止できる。
【００２２】
節度アーム２４の突端に開放ストッパー３１を設け、洗浄開口２０の周壁の下部に開放ストッパー３１を受止める下接当部３３を設ける。こうしたストッパー構造によれば、節度構造を構成する節度アーム２４を利用して開放ストッパー３１を設けることができ、また、洗浄開口２０の周壁を利用して下接当部３３を形成できるので、全体として構造に無駄がなく、ストッパー構造を簡素化できる分だけコスト削減に寄与できる。
【００２３】
開閉体２６の上部に閉止ストッパー３２を一体に設け、洗浄開口２０の周壁に閉止ストッパー３２を受止める上接当部３４を設ける。こうしたストッパー構造によれば、開閉体２６を利用して閉止ストッパー３２を一体に形成でき、洗浄開口２０の周壁を利用して上接当部３４を形成できるので、全体として構造に無駄がなく、ストッパー構造を簡素化できる分だけコスト削減に寄与できる。
【図面の簡単な説明】
【００２４】
【図１】実施例１に係る水洗い式電気かみそり要部の縦断側面図である。
【図２】実施例１に係る水洗い式電気かみそりの正面図である。
【図３】実施例１に係る水洗い式電気かみそり要部の正面図である。
【図４】開閉体用の節度構造を示す横断平面図である。
【図５】開閉体が開放姿勢に切換った状態を示す断面図である。
【図６】実施例１に係る水洗い式電気かみそりの水洗い洗浄状態を示す縦断側面図である。
【図７】実施例２に係る水洗い式電気かみそりを構成する開閉体用の節度構造を示す横断平面図である。
【図８】実施例３に係る水洗い式電気かみそりを構成する開閉体用の節度構造を示す横断平面図である。
【図９】実施例４に係る水洗い式電気かみそりを構成する開閉体用の節度構造を示す横断平面図である。
【図１０】実施例５に係る水洗い式電気かみそりを構成する開閉体の正面図である。
【図１１】開閉体を示す縦断側面図である。
【図１２】開閉体用の連動構造を示す側面図である。
【図１３】実施例６に係る水洗い式電気かみそりを構成する開閉体の縦断側面図である。
【図１４】実施例７に係る水洗い式電気かみそりを構成する開閉体の縦断側面図である。
【図１５】実施例７に係る水洗い式電気かみそりを構成する電気かみそり要部の正面図である。
【図１６】実施例８に係る水洗い式電気かみそりを構成する開閉体を示す縦断側面図である。
【図１７】開閉体が格納姿勢に切換った状態を示す断面図である。
【図１８】実施例９に係る水洗い式電気かみそりを構成する開閉体を示す縦断側面図である。
【図１９】実施例１０に係る水洗い式電気かみそりの要部の正面図である。
【図２０】開閉体の開放姿勢を示す縦断側面図である。
【図２１】実施例１１に係る水洗い式電気かみそりを構成する開閉体を示す縦断側面図である。
【図２２】実施例１１に係る水洗い式電気かみそりの要部の正面図である。
【図２３】実施例１２に係る開閉体を示す縦断側面図である。
【図２４】実施例１３に係る開閉体を示す縦断側面図である。
【図２５】実施例１３に係る開閉体を示す電気かみそりの要部の正面図である。
【図２６】実施例１４に係る開閉体を示す縦断側面図である。
【図２７】実施例１５に係る開閉体を示す縦断側面図である。
【図２８】実施例１６に係る開閉体を示す電気かみそりの要部の正面図である。
【発明を実施するための形態】
【００２５】
（実施例１）  図１から図６に実施例１に係る水洗い式電気かみそりを示す。本発明における前後、左右、上下とは、図１および図２に示す交差矢印と、矢印の近傍の前後、左右、上下の表記に従う。図２において電気かみそりは、グリップを兼ねる本体ケース１と、本体ケース１の上部のかみそりヘッド２とを備える。本体ケース１の内部には、モーター３、２次電池４、および図示していない制御基板などの電装品が配置されており、本体ケース１の前面にはモーター３の起動スイッチ５が設けられている。かみそりヘッド２には、水平軸回りに回転駆動されるロータリー式の可動刃（内刃）６と、固定刃（外刃）７と、固定刃７を支持する固定刃ホルダー８とが設けられている。可動刃６は中空筒状に形成されて、その周面に網目状の切刃の一群が形成されており、内刃軸９に固定した複数の支持ディスク１０で円筒形に保持されている。固定刃７は一群の刃穴を備えた網刃からなり、その前後端が固定刃ホルダー８に装着されている（図３参照）。かみそりヘッド２は、本体ケース１で前後、左右、上下方向へ変位可能に支持してあってもよい。また、固定刃７は固定刃ホルダー８に対して上下動する刃支持枠で支持してあってもよい。かみそりヘッド２には、複数組の可動刃６と固定刃７が設けてあってもよい。
【００２６】
本体ケース１の上部にはヘッドケース１３が固定されており、ヘッドケース１３の左右両側に内刃支持枠１４が立設されている。先の固定刃ホルダー８は、ヘッドケース１３に着脱可能に装着されている。モーター３の回転動力は、内刃支持枠１４に沿って配置したギヤトレイン１５で内刃軸９に伝動される。可動刃６と固定刃７で切断された毛屑は、かみそりヘッド２の内部の毛屑室１６に落下し、毛屑室１６の底面の毛屑受部１７で受止められる。毛屑室１６は、固定刃７および固定刃ホルダー８とヘッドケース１３で囲まれた空間であって、ヘッドケース１３の上面壁が毛屑受部１７となる。毛屑受部１７は、可動刃６の下周面と対向する上受部１７ａと、上受部１７ａに対して段落状に設けられた下受部１７ｂとを備えている。
【００２７】
毛屑受部１７に溜まった毛屑を洗い流すために、毛屑受部１７に臨む固定刃ホルダー８の前壁（毛屑室１６に臨むケース壁）に、毛屑室１６に連通する洗浄開口２０を設け、洗浄開口２０に流下された水道水を、同開口２０に設けたガイド体２１で毛屑受部１７へ向かって流動案内できるようにしている。図３に示すように、洗浄開口２０は左右に長い長方形状の開口からなる。ガイド体２１は洗浄開口２０と同じ矩形状の主壁２２と、主壁２２の両側面に突設される水平の回動軸２３と、主壁２２の内面下部の両側から連出される節度アーム２４を一体に備えたプラスチック成形品からなる。節度アーム２４は部分円弧状のアームからなり、その中心位置は回動軸２３の中心位置と一致されている。
【００２８】
回動軸２３を洗浄開口２０の内側面に形成した軸受穴２５で支持することにより、ガイド体２１は洗浄開口２０を開閉する開閉体２６として機能する。つまりガイド体２１は開閉体２６を兼ねている。開閉体２６は、回動軸２３を中心にして往復回動して、図１に示すように洗浄開口２０を閉止する閉止姿勢と、図５に示すように洗浄開口２０を開放する開放姿勢の間で変位できる。開閉体２６が閉止姿勢になっているとき、ガイド体２１は待機姿勢になっており、開閉体２６が開放姿勢になっているとき、ガイド体２１は案内姿勢になって、洗浄開口２０に流下された水道水を毛屑受部１７へ向かって流動案内できる。
【００２９】
開閉体２６を毛屑室１６の内部へ向かって押込み操作しやすくするために、主壁２２の外面の上半部には指受部２７が膨出形成され、さらに回動軸２３の軸中心が開閉体２６の下半側に位置されている。指受部２７は上下方向に長い一群の縦リブ２７ａで形成されており、その側面形状は不等脚台形状に形成されている。開閉体２６を閉止位置と開放位置において位置保持するために、節度アーム２４と洗浄開口２０の左右の対向周面との間に節度構造が設けられている。
【００３０】
図５に示すように節度構造は、節度アーム２４の側に形成した２個の可動節度体２８・２９と、節度アーム２４の揺動軌跡に臨む洗浄開口２０の周壁（固定壁）に形成した固定節度体３０とで構成されている。可動節度体２８・２９は節度アーム２４の基端部と端部寄りに凹み形成した円形溝からなり、固定節度体３０は、洗浄開口２０の左右の対向周面に形成した部分球体状の突起からなる。節度アーム２４の基端部に設けた可動節度体２８は、開閉体２６が閉止位置にあるとき固定節度体３０と係合し、節度アーム２４の端部寄りに設けた可動節度体２９は、開閉体２６が開放位置にあるとき固定節度体３０と係合する。なお、固定節度体３０は洗浄開口２０の周壁に形成する必要はなく、節度アーム２４の形状や揺動軌跡に応じて、ヘッドケース１３や本体ケース１などの固定壁に形成してあってもよい。
【００３１】
開閉体２６が閉止位置を越えて揺動するのを阻止し、さらに開閉体２６が開放位置を越えて揺動するのを阻止するために、開閉体２６に開放ストッパー３１と閉止ストッパー３２とが設けられている。開放ストッパー３１は、節度アーム２４の突端側面の左右方向（水平方向）に突設した丸軸状の突起からなり、洗浄開口２０の周縁内面に設けた下接当部３３で受止められる。開閉体２６が閉止位置から開放位置まで揺動すると、開放ストッパー３１は図４（ｂ）に示すように下接当部３３で受止められて、開閉体２６が閉止位置を越えて揺動するのを阻止する。閉止ストッパー３２は、開閉体２６の上部に連続する後上がり状の傾斜壁からなり、洗浄開口２０の周壁の上部に設けた上接当部３４で受止められる。上接当部３４は開閉体２６と同じ角度の後上がり状の傾斜面からなる。開閉体２６が開放位置から閉止位置まで揺動すると、閉止ストッパー３２は図１に示すように上接当部３４で受止められて、開閉体２６が閉止位置を越えて揺動するのを阻止する。この状態の閉止ストッパー３２と上接当部３４とは互いに密着しており、また開閉体２６の下面が洗浄開口２０の下周面に接当するので、毛屑が毛屑室１６から漏れ出るのを確実に防止できる。
【００３２】
開閉体２６が開放姿勢に切換えられた状態において、主壁２２の内面に沿って流動する水道水を、毛屑受部１７の上受部１７ａへ向かって流動させるために、開閉体２６の内面上部に水流案内部３５が形成されている。この実施例では、閉止ストッパー３２が後上がり状の傾斜壁で形成されていることを利用して、閉止ストッパー３２の傾斜下面が水流案内部３５として機能するようにした。図５に示すように、開閉体２６が開放姿勢に切換えられた状態では、主壁２２の内面に沿って流動する水道水を、水流案内部３５で毛屑受部１７の上受部１７ａへ向かって下り傾斜状に変向案内して、上受部１７ａに溜まっている毛屑を、水道水の流動作用で直接的に洗い流すことができる。
【００３３】
上記のように、開閉体２６には水流案内部３５を設けることが好ましいが、開閉体２６が開放姿勢に切換えられた状態において、少なくとも、閉止ストッパー３２の上縁が毛屑受部１７より上方に配置されていると、洗浄開口２０に流下された水道水を主壁２２の内面に沿って流動案内し、上受部１７ａの側へ流下させて毛屑を洗い流すことができる。その場合には、主壁２２の内面から後上がり状に突出する水流案内部３５を省略でき、閉止ストッパー３２は上接当部３４で受止められる傾斜面で形成することができる。
【００３４】
毛屑室１６の内部を水洗い洗浄する場合には、指受部２７を毛屑室１６へ向かって押し込んで、開閉体２６を開放姿勢にし、ガイド体２１を案内姿勢に切換える。この状態の電気かみそりを、図６に示すように、かみそりヘッド２が斜め下向きになる状態で本体ケース１を握り保持して、洗浄開口２０を水道水（洗浄水）の流下位置に位置させて、水道水を毛屑室１６の内部に流し入れながら可動刃６を回転駆動して、毛屑室１６の内部の毛屑を洗い流す。流下する水道水の中心が指受部２７の上方に位置している場合には、水道水がガイド体２１の主壁２２に沿って流動案内されるので、水道水の殆どは可動刃６の周面に衝突して、可動刃６の内面や固定刃７の内面に付着している毛屑を洗い流すことができる。主壁２２に衝突した水道水は、一群の縦リブ２７ａで分流案内されるので、主壁２２に衝突した水道水が拡散し、互いに衝突し合うのを解消して、水道水を可動刃６へ向かって整然と流動案内できる。毛屑を含む水道水は、一旦可動刃６の内部に入り込んだのち、可動刃６の回転動作で激しく撹拌されて可動刃６および固定刃７に衝突しながら、一群の刃穴から外刃７の外へ排出される。
【００３５】
水道水がガイド体２１の主壁２２の内面と洗浄開口２０の間に流下する状態では、水道水はガイド体２１の主壁２２の内面に沿って流動案内されたのち、水流案内部３５で毛屑受部１７の上受部１７ａへ向かって変向案内されて、上受部１７ａに付着している毛屑を直接洗い流す。また、上受部１７ａと下受部１７ｂの間の縦壁に受止められた水道水は、下受部１７ｂに付着している毛屑を洗い流しながら縦壁に沿って水流案内部３５へ向って流動し、最終的に上受部１７ａに付着している毛屑を洗い流す。実際の洗浄時には、斜め下向きに傾斜している本体ケース１を、傾斜上部側と傾斜下部側へ揺り動かして水道水を可動刃６側と上受部１７ａ側に交互に流動させることにより、毛屑室１６内の毛屑の洗い流しと、可動刃６および固定刃７に付着した毛屑の洗い流しとを連続して行うことができる。
【００３６】
以上のように実施例１の電気かみそりでは、毛屑受部１７に臨む固定刃ホルダー８の前壁に洗浄開口２０を設け、洗浄開口２０に臨んで設けたガイド体２１で、洗浄開口２０に流下された水道水を毛屑受部１７へ向かって流動案内するようにした。こうした電気かみそりによれば、洗浄開口２０に流下された水道水を、ガイド体２１で毛屑室１６の底部の毛屑受部１７へ向かって確実に流動案内して、毛屑受部１７に溜まっている毛屑や、可動刃６および固定刃７に付着している毛屑を短時間で効果的に洗い流すことができる。因みに、ガイド体２１を備えていない従来の電気かみそりでは、洗浄水窓に水道水を流下させたとしても、以後の水道水の流動経路は、毛屑室の内部構造に左右されるため、水道水を毛屑の溜まりやすい毛屑室の底面に適確に送給できているか否かは定かではなく、毛屑洗浄に多くの時間を要していた。
【００３７】
ガイド体２１が洗浄開口２０を開閉する開閉体２６を兼ねるようにし、開閉体２６は洗浄開口２０を閉止する閉止姿勢と、洗浄開口２０を開放する開放姿勢の間で変位可能とした。また、開閉体２６が開放姿勢に切換った状態では、洗浄開口２０に流下された水道水をガイド体２１で毛屑受部１７へ向かって流動案内できるようにした。こうした電気かみそりによれば、ガイド体２１と開閉体２６を個別に設ける場合に比べて、電気かみそりの構造を簡素化して、その分だけ全体コストを低減できる。
【００３８】
板状に形成した開閉体２６を水平の回動軸２３で揺動開閉可能に支持して、開放姿勢と閉止姿勢に揺動変位できるようにした。こうした電気かみそりによれば、開閉体２６を往復揺動操作するだけで、洗浄開口２０を開放し、あるいは閉止することができる。また、洗浄開口２０を開放しガイド体２１を傾動させた状態で、洗浄開口２０に水道水を流下させることにより、ガイド体２１で受止めた水道水を毛屑受部１７へ向かって流動案内できる。因みに、開閉体２６は例えば往復スライド操作して開放姿勢と閉止姿勢に切換えることが可能であるが、この種のスライド開閉構造に比べて、揺動開閉可能に支持した開閉体２６は、開閉構造を簡素化できるうえ洗浄開口２０を的確に開閉できる。
【００３９】
開閉体２６の上下方向中途部を回動軸２３で揺動開閉可能に支持したので、開閉体２６を開放姿勢にした状態において、洗浄開口２０を回動軸２３より上側の部分と、回動軸２３より下側の部分においてそれぞれ開放させて、洗浄開口２０の上下の開口部分から水道水を毛屑室１６内に供給して、毛屑室１６における毛屑洗浄を広範にわたって行うことができる。例えば、水道水を回動軸２３より上側の部分から毛屑室１６内に流下させながら、回動軸２３より下側の部分を流れる水道水で、下受部１７ｂに溜まっている毛屑を洗い流すことができる。因みに、開閉体２６の下部が回動軸２３で揺動開閉可能に支持され、開閉体２６が毛屑室１６の内部へ揺動して洗浄開口２０を開放する構造の場合には、下受部１７ｂが開閉体２６で常に覆われるので、下受部１７ｂに溜まっている毛屑を水道水で直接に洗い流すことは困難となる。また、上下方向中途部が回動軸２３で揺動開閉可能に支持してある開閉体２６は、回動軸２３より上側の部分と、回動軸２３より下側の部分を押込み操作することで、開閉体２６を開放姿勢と閉止姿勢に切換えることができ、開閉体２６を開放姿勢や閉止姿勢に移動付勢するばねを省略できる利点もある。
【００４０】
回動軸２３を開閉体２６の下半側に設けたので、開閉体２６が揺動開閉するときの回動軸２３より上側の部分のモーメントアームを、下側の部分のモーメントアームより大きくできる。そのため、上半側を操作して開閉体２６を開閉操作することにより、開閉体２６をより軽快に開閉できる。また、開閉体２６の回動軸２３より下側の部分の上下長を小くしたので、開閉体２６を開放操作した場合に、洗浄開口２０の外へ露出する開閉体２６の突出寸法を小さくでき、その分だけ蛇口の吐水部を洗浄開口２０に近付けた状態で水道水を適確に供給できる。
【００４１】
開閉体２６をその下半側に設けた回動軸２３で開閉可能に支持し、開閉体２６の外面の上半部に、開閉体２６を開放操作する指受部２７を膨出形成したので、指受部２７を押し込み操作することで、開閉体２６の開放操作を容易に行うことができる。例えば、開閉体２６の上半部を直接押し込み操作する場合には、回動軸２３が開閉体２６の下半側に設けてあるため、開放操作されたときの開閉体２６の上側の部分は、洗浄開口２０を越えて毛屑室１６の内部まで大きく入り込む。しかし、開閉体２６の外面の上半部に膨出形成した指受部２７は開閉体２６の上側の部分より外側にあるので、開閉体２６が開放操作されたときの指受部２７は毛屑室１６の内部まで押込む必要がなく、その分だけ開閉体２６の開放操作を容易に行うことができる。
【００４２】
指受部２７を上下方向に長い複数の縦リブ２７ａで形成したので、開閉体２６に衝突した水道水を一群の縦リブ２７ａで整然と分流案内することができる。従って、開閉体２６に衝突した水道水が拡散し、互いに衝突し合うのを解消して、水道水を毛屑室１６の内部および毛屑受部１７へ向かって整然と流動案内できる。
【００４３】
洗浄開口２０の周壁と開閉体２６の間に節度構造を設けたので、開閉体２６を閉止位置または開放位置において確実に位置保持できる。従って、ひげ剃り時に開閉体２６が誤って開放操作され、あるいは毛屑洗浄時に開閉体２６が水流を受けて不用意に閉止移動することを確実に防止できる。
【００４４】
開閉体２６に設けた部分円弧状の節度アーム２４と、節度アーム２４の揺動軌跡に臨む洗浄開口２０の周壁との間に設けた、可動節度体２８・２９および固定節度体３０で節度構造を構成したので、節度アーム２４と洗浄開口２０の周壁の対向面に節度構造を設けることができ、構造に無駄がない。加えて、可動節度体２８・２９および固定節度体３０が凹凸係合することで、開閉体２６を閉止姿勢および開放姿勢において確実に位置保持させることができる。
【００４５】
開閉体２６に閉止ストッパー３２と開放ストッパー３１を設けたので、当該開閉体２６が誤って閉止位置を越えて閉止方向へ揺動操作されるのを閉止ストッパー３２で阻止でき、また、開閉体２６が誤って開放位置を越えて開放方向へ揺動操作されるのを開放ストッパー３１で阻止できる。因みに、節度構造のみで開閉体２６が閉止姿勢および開放姿勢に位置保持してある場合には、勘違いやいたずらによって開閉体２６が強制的に閉止位置を越えて揺動操作され、あるいは開閉体２６が強制的に開放位置を越えて揺動操作されるおそれがある。しかし、開閉体２６に閉止ストッパー３２や開放ストッパー３１が設けられていると、先のような勘違いやいたずらによる誤操作を確実に防止できる。
【００４６】
節度アーム２４の突端に開放ストッパー３１を設け、洗浄開口２０の周縁壁に開放ストッパー３１を受止める下接当部３３を設けた。こうしたストッパー構造によれば、節度構造を構成する節度アーム２４を利用して開放ストッパー３１を設けることができ、また、洗浄開口２０の周縁壁を利用して下接当部３３を形成できるので、全体として構造に無駄がなく、ストッパー構造を簡素化できる分だけコスト削減に寄与できる。
【００４７】
開閉体２６の上部に閉止ストッパー３２を一体に設け、洗浄開口２０の周壁に閉止ストッパー３２を受止める上接当部３４を設けた。こうしたストッパー構造によれば、開閉体２６を利用して閉止ストッパー３２を一体に形成でき、洗浄開口２０の周壁を利用して上接当部３４を形成できるので、全体として構造に無駄がなく、ストッパー構造を簡素化できる分だけコスト削減に寄与できる。
【００４８】
開閉体２６が開放姿勢に切換えられた状態において、閉止ストッパー３２の上縁を毛屑受部１７より上方に位置させるようにしたので、洗浄開口２０に流下された水道水を開閉体２６の内面に沿って流動案内し、上受部１７ａの側へ流下させて毛屑を洗い流すことができる。
【００４９】
開閉体２６の内面上部に水流案内部３５を設けたので、開閉体２６が開放姿勢に切換えられた状態において、開閉体２６の内面に沿って流動する水道水を、水流案内部３５で毛屑受部１７へ向かって変向案内して、毛屑受部１７に溜まっている毛屑を、水道水の流動作用で直接的に洗い流すことができる。従って、毛屑受部１７に溜まっている毛屑を、水道水に単に浸漬させた状態で洗浄を行う従来の電気かみそりに比べて、毛屑受部１７に溜まっている毛屑を、短時間で効果的に洗い流すことができる。
【００５０】
（実施例２）  図７に、節度構造を構成する可動節度体２８・２９および固定節度体３０の構造を変更した実施例２に係る水洗い式電気かみそりを示す。実施例２では、洗浄開口２０の周壁に円形溝を凹み形成して固定節度体３０とし、節度アーム２４に部分球体状の突起を形成して可動節度体２８・２９とした。可動節度体２８・２９は、それぞれ固定節度体３０に落込み係合することにより、開閉体２６を閉止位置と開放位置で位置保持する。なお、図７に可動節度体２８は図示していない。上記以外は実施例１で説明した構造と同じであるので、同じ部材に同じ符号を付してその説明を省略する。以下の実施例においても同じとする。
【００５１】
（実施例３）  図８に、節度構造を構成する可動節度体２８・２９および固定節度体３０の構造を変更した実施例３に係る水洗い式電気かみそりを示す。実施例３では、実施例１と同様に部分球体状の突起で固定節度体３０を形成し、節度アーム２４に形成した部分球体状の突起で可動節度体２８・２９を形成した。節度アーム２４の端部寄りに設けた可動節度体２９は、固定節度体３０の前周面に係合して、開放ストッパー３１と協働して開閉体２６を開放姿勢に位置保持している。また、図示していないが、開閉体２６が閉止姿勢になっているときは、節度アーム２４の基端部に設けた可動節度体２８が、固定節度体３０の後周面に係合して、開閉体２６が開放揺動するのを規制している。
【００５２】
（実施例４）  図９に、節度構造を構成する可動節度体２８・２９および固定節度体３０の構造を変更した実施例４に係る水洗い式電気かみそりを示す。実施例４では、洗浄開口２０の周壁に形成した部分球体状の２個の突起で固定節度体３０を形成し、可動節度体２８・２９は部分球体状の突起で形成した。開閉体２６が閉止姿勢、または開放姿勢になっているとき、各可動節度体２８・２９は２個の固定節度体３０の間に凹みに落込み係合して開閉体２６を位置保持している。なお、図９に可動節度体２８は図示していない。
【００５３】
（実施例５）  図１０ないし図１２に、実施例５に係る水洗い式電気かみそりを示す。実施例５の電気かみそりでは、開閉体２６を、上下に隣接配置されて、揺動開閉可能に支持された３個のルーバー板４０で形成して、各ルーバー板４０がガイド体２１および開閉体２６を兼ねるようにした。ルーバー板４０は、羽板４１と、羽板４１の左右両側に固定したルーバー軸４２を備えており、ルーバー軸４２を洗浄開口２０の周壁で軸支することにより、各羽板４１が前後に重なる閉止姿勢（図１１（ａ）に示す状態）と、各羽板４１が分離して後上り状に傾斜する開放姿勢（図１１（ｂ）に示す状態）に変位できるようにした。
【００５４】
各ルーバー板４０を連動して開閉するために、固定刃ホルダー８の内面に連動構造が設けられている。図１２に示すように連動構造は、各ルーバー板４０のルーバー軸４２に固定した扇歯状のピニオン４３と、各ピニオン４３と噛み合うラック４４と、ラック４４を往復操作するスライド摘み４５とで構成されている。ラック４４は、固定刃ホルダー８の前壁で上下スライド可能に案内支持されている。スライド摘み４５は、ラック４４の下部側面に固定されて、固定刃ホルダー８の前面に開口したスライド窓４６から露出されている。スライド摘み４５をスライド窓４６に沿って下降スライドすると、ラック４４が下降移動してピニオン４３を図１２において時計回転方向へ回転移動させるので、ルーバー板４０を開放姿勢にできる。逆に、スライド摘み４５をスライド窓４６に沿って上昇スライドすると、ルーバー板４０を閉止姿勢にできる。ルーバー板４０が閉止姿勢を越えて揺動するのを防ぐために、洗浄開口２０の上面および下面のそれぞれに下接当部３３と上接当部３４とを設け、ルーバー板４０が閉止姿勢に切換ったとき、下段のルーバー板４０の閉止ストッパー３２と、上段のルーバー板４０の閉止ストッパー３２とが下接当部３３と上接当部３４とで受止められる。ピニオン４３は羽板４１に固定されていてもよい。
【００５５】
以上のように、ガイド体２１および開閉体２６を複数のルーバー板４０で構成すると、ガイド体２１および開閉体２６を薄型化することができる。また、ルーバー板４０を開放姿勢に切換えた状態では、洗浄開口２０が３個のルーバー板４０で上下４段に区分される。そのため、洗浄時に斜め下向きに傾斜している本体ケース１を、傾斜上部側と傾斜下部側へ揺り動かしながら水道水を各段の開口に流下させることにより、毛屑室１６の広い範囲にわたって水道水を速やかに行き渡らせて、毛屑室１６における毛屑の洗い流しを隅々まで行うことができる。また、各ルーバー板４０に固定したピニオン４３と、各ピニオン４３と噛み合うラック４４と、ラック４４を往復操作するスライド摘み４５を備えた連動構造で、各ルーバー板４０を連動開閉可能に連結するので、スライド摘み４５を上下にスライド操作するだけで、３個のルーバー板４０の姿勢を同時に切換えて、開放姿勢または閉止姿勢に保持することができる。従って、各ルーバー板４０の姿勢を個別に切換える場合に比べて、姿勢切換えの手間を著しく省くことができる。
【００５６】
（実施例６）  図１３（ａ）（ｂ）に、実施例６に係る水洗い式電気かみそりを示す。実施例６では、ガイド体２１を兼ねる開閉体２６の下部に回動軸２３を設け、回動軸２３を軸受穴２５で軸支することにより、開閉体２６は揺動開閉可能に支持されている。また、回動軸２３に外嵌する閉じばね４８により、開閉体２６を閉止姿勢に向って閉じ付勢するようにしている。閉じばね４８は捩じりコイルばねからなり、その片方のばね腕が開閉体２６の内面に掛止され、他方のばね腕が洗浄開口２０の内面側の周縁壁に掛止されている。板状の開閉体２６の上端には、傾斜する閉止ストッパー３２が後上がり状に形成されている。上受部１７ａの前隅には、開放姿勢に切換った開閉体２６を受入れる凹部４９が凹み形成されている。
【００５７】
開閉体２６を閉じばね４８の付勢力に抗して開放姿勢に保持するために、開閉体２６の内面に部分円弧状のラッチ腕５０が設けられ、下受部１７ｂにラッチ腕５０を係合保持するラッチ構造５１が設けられている。指受部２７を毛屑室１６の内部に向かって押込み操作すると、開閉体２６が傾動するのに応じてラッチ腕５０がラッチ構造５１の内部に入込み、開閉体２６が開放姿勢に切換ると、ラッチ腕５０がラッチ構造５１で係合保持される。この状態では、開閉体２６が洗浄開口２０から毛屑受部１７に向かって上り傾斜して、開閉体２６が凹部４９の内部に入込み、閉止ストッパー３２の上縁が上受部１７ａの上面に臨んでいる。そのため、洗浄開口２０に流下された水道水は、開閉体２６の外面に流動案内されて、可動刃６および上受部１７ａの上面に向かって流動し、この流動水により上受部１７ａに溜まっている毛屑を確実かつ速やかに洗い流すことができる。洗浄が終了したら、開閉体２６を再び押込み操作することにより、ラッチ構造５１による係合保持が解除されるので、開閉体２６は閉じばね４８の付勢力で閉止姿勢に戻される。なお、ラッチ腕５０およびラッチ構造５１は省略することができ、その場合には、指先で開閉体２６を開放姿勢に保持して水洗い洗浄するとよい。
【００５８】
開閉体２６の下部を水平の回動軸２３で揺動開閉可能に支持し、閉じばね４８で閉止姿勢に向かって揺動付勢するようにした。こうした開閉構造によれば、常態において洗浄開口２０を開閉体２６で閉止保持できるので、ひげ剃り時に誤って指先が開閉体２６に触れるような場合でも、開閉体２６を閉じばね４８の付勢力で閉止姿勢に押戻すことができるので、毛屑が洗浄開口２０の外へ飛散するのをよく防止できる。また、洗浄が終了した後、ラッチ構造５１を操作して、開放姿勢に保持されていた開閉体２６の位置保持状態を解除することにより、開閉体２６を閉じばね４８の付勢力で閉止姿勢に戻すことができる。
【００５９】
（実施例７）  図１４および図１５に、実施例７に係る水洗い式電気かみそりを示す。実施例７では、平板状の開閉体２６の内面にガイド体２１が一体に設けられている。開閉体２６は、その上部に設けた回動軸２３で揺動開閉可能に支持されており、洗浄開口２０を閉止する閉止姿勢と、閉止姿勢から上向きに揺動して洗浄開口２０を開放する開放姿勢との間で揺動変位でき、開放ばね５３で開放姿勢に向かって揺動付勢されている。ガイド体２１は湾曲板で形成されており、開閉体２６の内面の斜め上部に分離配置されて、両者の対向面の間に設けた左右一対の支持アーム５４を介して一体化されている。開閉体２６が閉止姿勢に切換ったとき、ガイド体２１は可動刃６の周面と対向して待機姿勢（図１４（ａ）の状態）を保持している。また、開閉体２６が開放ばね５３で開放揺動する状態では、ガイド体２１は開閉体２６に連動して下向きに揺動して案内姿勢（図１４（ｂ）の状態）に切換わる。この状態のガイド体２１は、湾曲下部が洗浄開口２０に位置しており、湾曲上部が上受部１７ａの前隅に被さる案内姿勢となって上突湾曲状に傾斜している。
【００６０】
開放ばね５３の付勢力に抗して開閉体２６を閉止姿勢に係合保持するために、洗浄開口２０の下側の周壁に切換具５５が設けられ、開閉体２６の内面下部に切換具５５に対応する爪体５６が横臥Ｌ字状に設けられている。切換具５５は、開閉体２６の爪体５６と係脱するＬ字状の係合片５７と、係合片５７を爪体５６に対して係脱操作する操作摘み５８を一体に備えている。係合片５７を固定刃ホルダー８に形成したガイド溝５９で左右スライド自在に案内することにより、切換具５５は係合片５７が爪体５６と係合するスライド位置（図１４（ａ）に示す状態）と、係合片５７が爪体５６から離脱するスライド位置との間で切換え可能である。また、切換具５５はリターンばね６０で、係合片５７が爪体５６と係合するスライド位置へ向かって移動付勢されている。操作摘み５８は固定刃ホルダー８の前面に露出している。
【００６１】
毛屑室１６内の毛屑を水洗い洗浄するときは、図１５において操作摘み５８を左向きにスライド操作して、爪体５６と係合していた係合片５７を、爪体５６の左側方へ離脱させる。係合片５７が爪体５６から離脱するのと同時に、開閉体２６は開放ばね５３の付勢力を受けて跳ね上げ揺動し開放姿勢に切換る。
【００６２】
次に、かみそりヘッド２が斜め下向きになる状態で本体ケース１を握り保持して、洗浄開口２０を水道水の流下位置に位置させて、水道水を毛屑室１６の内部に流し入れながら可動刃６を回転駆動して、毛屑室１６の内部の毛屑を洗い流す。このとき、ガイド体２１の外突湾曲面に沿って流動する水道水は、可動刃６と上受部１７ａへ向かって案内され、ガイド体２１の内凹み湾曲面に沿って流動する水道水は、主に上受部１７ａへ向かって案内されて、上受部１７ａに溜まっている毛屑を洗い流す。開閉体２６を開放姿勢に切換えた状態では、洗浄開口２０の開口面が大きく開放されるので、流下位置を明確に視認しながら水道水をガイド体２１の所望位置に流下させて、毛屑の洗い流しを効果的に行うことができる。なお、切換具５５は、操作摘み５８を上下スライド操作して、係合片５７と爪体５６を係脱する構造であってもよい。
【００６３】
実施例７では、ガイド体２１の内面に開閉体２６を一体に設け、ガイド体２１が開閉体２６の開閉動作に連動して待機姿勢と案内姿勢とに姿勢変更できるようにした。また、開閉体２６が洗浄開口２０を開放した状態において、ガイド体２１が案内姿勢に切換って、洗浄開口２０に流下された洗浄水を毛屑受部１７へ向かって流動案内できる。このように、ガイド体２１と開閉体２６とが個別に設けられていると、ガイド体２１は水道水を毛屑受部１７へ向かって流動案内できる機能に特化して構成し、開閉体２６は洗浄開口２０を開閉できる特化して構成すればよいので、ガイド体２１が開閉体２６を兼ねている場合に比べて、ガイド体２１および開閉体２６の形状および構造の自由度が高くなる。案内姿勢に切換えられた状態のガイド体２１を、上突湾曲状の湾曲板で形成したので、洗浄開口２０に流下された水道水を、ガイド体２１の上湾曲面および下湾曲面で毛屑受部１７へ向かって流動案内することができ、毛屑受部１７の上受部１７ａに溜まっている毛屑を確実かつ速やかに洗い流すことができる。
【００６４】
また、実施例７では、開閉体２６を開放ばね５３で開放姿勢に向って揺動付勢し、洗浄開口２０の周壁に、開放ばね５３の付勢力に抗して開閉体２６を閉止姿勢に係合保持する切換具５５を設けた。切換具５５は、係合片５７と操作摘み５８を一体に備えており、操作摘み５８を変位操作することにより、係合片５７を開閉体２６の爪体５６に係脱できるようにした。こうした開閉構造によれば、操作摘み５８を操作して係合片５７を爪体５６から離脱させることにより、開閉体２６が開放ばね５３の付勢力を受けて開放姿勢に切換る。つまり、操作摘み５８をワンタッチ操作するだけの少ない手間で、開閉体２６を閉止姿勢から開放姿勢に切換えることができる。また、切換具５５は洗浄開口２０の周壁で往復スライド可能に案内支持されており、操作摘み５８をスライド操作することにより、係合片５７を爪体５６に係脱できるので、例えば切換具５５が押しボタン状に構成されている場合に比べて、切換具５５が誤って切換え操作されるのをよく防止できる。さらに、切換具５５は洗浄開口２０の下側に配置されて、洗浄開口２０の周壁で左右スライド可能に支持されているので、毛屑洗浄時に本体ケース１を握った状態のままで、操作摘み５８を容易に切換え操作できるので、操作摘み５８を切換え操作するために本体ケース１の握り位置を変える手間を省くことができる。
【００６５】
（実施例８）  図１６および図１７に、実施例８に係る水洗い式電気かみそりを示す。実施例８では、開閉体２６とガイド体２１を独立部品として個別に形成し、ガイド体２１の両側に設けた連結軸６３で両者２１・２６を相対回転可能に連結した。開閉体２６は、その下部が回動軸２３で支持されており、洗浄開口２０を閉止する閉止姿勢（図１６（ａ）に示す状態）と、閉止姿勢から下向きに揺動して洗浄開口２０を開放する開放姿勢（図１６（ｂ）に示す状態）と、開閉体２６が開放姿勢を越えて斜め下向きに揺動する格納姿勢（図１７に示す状態）との間で揺動開閉できる。こうした開閉体２６の開閉揺動を許すために、洗浄開口２０の下周面は前下がり傾斜状に形成されている。開閉体２６の上部には把手部６４が一体に設けられており、開閉体２６の下部にはガイド体２１の回動範囲を規定する平坦な受止壁６５が形成されている。
【００６６】
ガイド体２１は平板状に形成されており、開閉体２６との連結端側に先の受止壁６５で支持される規制壁６６が形成されている。また、ガイド体２１の遊端には揺動限界を規定するためのストッパー面６７が形成されている。開閉体２６とガイド体２１の間には連結ばね６８が設けられており、この連結ばね６８でガイド体２１を図１６（ａ）において反時計回転方向へ揺動付勢している。このように、連結ばね６８で揺動付勢されたガイド体２１は、規制壁６６が受止壁６５で受止められるため、開閉体２６が閉止姿勢になっているとき、開閉体２６に対してく字状に屈折する待機姿勢に位置保持されている。また、待機姿勢において下り傾斜するガイド体２１は、毛屑受部１７の上面（上受部１７ａ）より低い位置に設けられて、下受部１７ｂ内に落下する毛屑の一部を受止めている。
【００６７】
ガイド体２１を開閉体２６と同行揺動させるために、下受部１７ｂは部分円弧状に形成されており、下受部１７ｂの上端（毛屑受部１７の前部）にはストッパー面６７を受止める段部６９が設けられている。また、図１７に示すように、本体ケース１の前部には係合リブ７０が突設されており、格納姿勢に下降揺動した開閉体２６の把手部６４を係合リブ７０に係合させることにより、開閉体２６を格納姿勢に位置保持できる。
【００６８】
指先を把手部６４にあてがって、閉止姿勢になっている開閉体２６を下向きに揺動開放操作すると、ガイド体２１は、開閉体２６に同行して上向きに揺動し、開閉体２６が開放姿勢に切換った状態では、ストッパー面６７が下受部１７ｂの段部６９で受止められて、毛屑受部１７に向かって上り傾斜する案内姿勢に位置保持される。開閉体２６をさらに下向きに揺動開放操作すると、開閉体２６は連結ばね６８のばね力に抗しながら下降揺動して格納姿勢になる。つまり開閉体２６は、案内姿勢に位置保持されたガイド体２１を残置した状態のまま、連結ばね６８の付勢力に抗しながら開放位置から格納位置まで開放揺動する。この状態の受止壁６５は、規制壁６６から分離して連結軸６３に連続する丸軸部分を受け止める。このように、開閉体２６を下降揺動した状態で、把手部６４を係合リブ７０に係合させることにより、開閉体２６を格納姿勢に位置保持できる。
【００６９】
以後は、水道水を洗浄開口２０から流し込むことにより、毛屑受部１７の上受部１７ａや、ガイド体２１に付着している毛屑を、水道水の流動作用で直接的に洗い流すことができる。水洗い洗浄が終了したら、毛屑室１６の内部を乾燥させのち、把手部６４を係合リブ７０から分離させることにより、開閉体２６を連結ばね６８の付勢力で跳ね上げ揺動させて閉止姿勢に戻すことができる。
【００７０】
上記のように、開閉体２６が開放姿勢を越えて格納姿勢まで開放揺動できるように構成されていると、洗浄開口２０を開放できるのはもちろん、開閉体２６が洗浄開口２０の下方へ退避し、その位置に保持されるので、洗浄開口２０に対する水道水の流下状況や、毛屑室１６内の洗浄状況を明確に目視しながら、毛屑洗浄をさらに的確に行うことができる。また、案内姿勢に切換ったガイド体２１は、毛屑受部１７の上受部１７ａに向かって上り傾斜した状態で洗浄開口２０に臨んでいるので、水道水をガイド体２１に直接流下させることにより、ガイド体２１に付着している毛屑を水道水の流動作用で確実に洗い流すことができる。
【００７１】
本実施例における閉止姿勢から格納姿勢に切換るまでの開閉体２６の全揺動角度は約１６５度であるが、閉止姿勢と格納姿勢の間の開閉体２６の全揺動角度は９０度以上に設定すれば足りる。開閉体２６の全揺動角度が９０度以上あれば、開閉体２６を開放姿勢から格納姿勢まで開放揺動した状態においては、上記と同様に、洗浄開口２０を開放し、さらに開閉体２６を洗浄開口２０の前方へ退避させることができる。従って、洗浄開口２０に対する水道水の流下状況や、毛屑室１６内の洗浄状況を明確に目視しながら、毛屑洗浄を的確に行うことができる。
【００７２】
開閉体２６とガイド体２１を独立部品として個別に形成し、ガイド体２１の両側に設けた連結軸６３で両者２１・２６を相対回転可能に連結するようにした。また待機姿勢における下り傾斜するガイド体２１は、毛屑受部１７の上受部１７ａより低い位置に設けられて、落下する毛屑の一部を受止めるようにした。そのうえで、ガイド体２１は、閉止姿勢から開放姿勢へ揺動する開閉体２６に同行して上向きに揺動して、待機姿勢から毛屑受部１７に向かって上り傾斜する案内姿勢に切換るようにした。こうしたガイド構造によれば、毛屑洗浄時にはガイド体２１の毛屑を受止めた側の面を洗浄開口２０に臨ませることができるので、水道水をガイド体２１に直接流下させることにより、ガイド体２１に付着している毛屑を、水道水の流動作用で直接的に洗い流すことができる。
【００７３】
開閉体２６とガイド体２１の間に連結ばね６８を設けて、開閉体２６が閉止姿勢から開放姿勢に切換る間は、ガイド体２１が開閉体２６と同行揺動して待機姿勢から案内姿勢に切換るようにした。また、開閉体２６が開放姿勢に切換る状態では、ガイド体２１に設けたストッパー面６７を段部６９で受止めて、ガイド体２１を案内姿勢に位置保持できるようにした。こうした開閉構造およびガイド構造によれば、ガイド体２１が案内姿勢を越えて揺動するのを確実に防止しながら、開閉体２６を開放姿勢から格納姿勢に向かって揺動操作できる。
【００７４】
開閉体２６は、案内姿勢に位置保持されたガイド体２１を残置した状態のまま、連結ばね６８の付勢力に抗しながら開放位置から格納位置まで開放揺動できるようにした。こうした開閉構造によれば、ガイド体２１の揺動角度に制約されることもなく、開閉体２６の全揺動角度を自由に設定して、毛屑洗浄時に開閉体２６が毛屑洗浄の邪魔になるのをさらに確実に防止できる。
【００７５】
（実施例９）  図１８に、実施例９に係る水洗い式電気かみそりを示す。実施例９では、ガイド体２１と開閉体２６を断面Ｌ字状に形成し、ヘッドケース１３の前面にガイド体２１を前後スライド可能に案内支持するガイド枠７３を設けた。ガイド体２１には前後に長いスライド溝７４が形成されており、このスライド溝７４を回動軸２３で軸支することにより、ガイド体２１および開閉体２６を待機姿勢および閉止姿勢と、案内姿勢および開放姿勢の間で切換えられるようにした。ガイド体２１の遊端（後端）は半円状に丸められている。ガイド枠７３は前向きに開口する断面がコ字状の枠体からなり、その内面に待機姿勢に切換ったガイド体２１を受入れる収容溝７５が設けられている。ガイド枠７３の上壁および下壁は、ガイド体２１を前後にスライド案内する案内壁７６・７７とされており、上側の案内壁７６の前端には部分円弧状の逃げ面７８が形成されている。開閉体２６の前面には、断面Ｌ字状の指受部２７が形成されている。
【００７６】
開閉体２６が閉止姿勢にあるとき、ガイド体２１は収容溝７５内に入込んでおり、スライド溝７４の前端が回動軸２３で受止められている。この状態で、指受部２７に指先をあてがってガイド体２１および開閉体２６を洗浄開口２０の前方へ引出し、スライド溝７４の後端が回動軸２３に接当した状態で、開閉体２６を下方揺動操作することにより、開閉体２６を図１８（ｂ）に示す開放姿勢に切換えることができる。また、開閉体２６が下降揺動するのに連動して、ガイド体２１は待機姿勢から案内姿勢に切換って、ガイド体２１の下面の開放ストッパー３１が下接当部３３で受止められる。ガイド体２１および開閉体２６が前方へ引出されるとき、ガイド体２１は上下の案内壁７６・７７と回動軸２３によってスライド案内される。
【００７７】
上記のように、開閉体２６を開放姿勢にし、ガイド体２１を案内姿勢にした状態で、水道水を洗浄開口２０に流下させると、洗浄開口２０の内奥の毛屑受部１７に水道水の殆どを直接的に流動させて、上受部１７ａに付着している毛屑を適確に洗い流すことができる。また、開閉体２６を開放姿勢にした状態では、開閉体２６およびガイド体２１の一部が洗浄開口２０の外へ突出して、洗浄開口２０の前方および下側を大きく開放できるので、洗浄開口２０に対する水道水の流下状況や、毛屑室１６内の洗浄状況を明確に目視しながら、毛屑洗浄を的確に行うことができる。ガイド体２１が案内姿勢に切換えられた状態では、ガイド体２１の遊端の開放ストッパー３１が下接当部３３で受止められて、毛屑受部１７の上受部１７ａに向かって上り傾斜し、遊端の半円部が上側の案内壁７６と面一になるので、ガイド体２１に流下された水道水を案内壁７６の上面側へ確実に流動させることができる。開閉体２６が閉止姿勢に切換った状態では、ガイド体２１が案内壁７６・７７で上下動不能に支持されるので、開閉体２６が誤って開放操作されるのをよく防止できる。
【００７８】
（実施例１０）  図１９および図２０に、実施例１０に係る水洗い式電気かみそりを示す。実施例１０では、左右横長の扇形に形成したゴムシート状の閉止壁８０と、閉止壁８０の両側に形成したスライド壁８１と、スライド壁８１の前面に形成した開閉用の指掛リブ８２とでガイド体２１を構成し、ガイド体２１が洗浄開口２０を開閉する開閉体２６を兼ねるようにした。スライド壁８１は、洗浄開口２０の左右両側の内面に設けた案内壁８３で開閉スライド可能に案内支持されて、案内壁８３の形成範囲内を開閉できる。スライド壁８１が開閉スライドするとき、同壁８１の上下端は洗浄開口２０の内面壁で受止められて抜止めされているので、スライド壁８１が洗浄開口２０から前方へ抜け出ることはない。
【００７９】
図１９（ａ）に示すように、ガイド体２１は、閉止壁８０が扁平なシート状態になっているとき、洗浄開口２０を閉止する開閉体２６として機能する。また、左右の指掛リブ８２を互いに接近する向きにスライド操作して、ガイド体２１の左右中途部を毛屑室１６の内方へ向かって弾性変形させることにより、図１９（ｂ）および図２０に示すように、湾曲状の樋状部８４を出現させて案内姿勢に切換えることができる。つまり開閉体２６を開放姿勢に切換えることができる。ガイド体２１が案内姿勢に切換えられた状態では、洗浄開口２０に流下された水道水を湾曲する樋状部８４で受止めて、毛屑受部１７の上受部１７ａに向かって流動案内できる。洗浄終了後に指掛リブ８２を洗浄開口２０の両端位置まで戻すと、閉止壁８０がシート状態に戻って洗浄開口２０を内面側から閉止することができる。
【００８０】
以上のように、開閉体２６を兼ねるガイド体２１で洗浄開口２０を開閉できるようにしたガイド構造および開閉構造によれば、ガイド体２１とは別に開閉体２６を設ける必要がないうえ、洗浄時には、閉止壁８０を弾性変形させて水道水を流動案内する樋状部８４を出現させることができる。従って、開閉体２６とガイド体２１が別に設けてある場合に比べて、開閉構造とガイド構造の全体構造を著しく簡素化して低コスト化できる。また、こうしたガイド構造によれば、指掛リブ８２の少なくとも一方を他方へ近づく向きにスライド操作することにより、ガイド体２１の左右中途部を内向きに弾性変形させて樋状部８４を出現させ、同時に洗浄開口２０を開放できるので、洗浄開口２０に流下された水道水を樋状部８４で毛屑受部１７にさらに確実に流動案内できる。閉止壁８０が左右横長の扇形に形成してあるので、樋状部８４の上端を毛屑受部１７の上受部１７ａに接近させて、洗浄開口２０に流下された水道水を樋状部８４でさらに確実に流動案内できる。以上のように、閉止壁８０は左右横長の扇形に形成してあることが好ましいが、必要があれば、閉止壁８０は左右横長の矩形シート状に形成してあってもよい。
【００８１】
（実施例１１）  図２１および図２２に、実施例１１に係る水洗い式電気かみそりを示す。実施例１１では、左右横長の板状体の上半部にガイド体２１を設け、板状体の下半部に開閉体２６を設けて、ガイド体２１と開閉体２６とを一体に設けた。ガイド体２１は、その板状体の上半部に通水開口８７が形成され、その内部に上下２段のルーバー壁８８が設けられている。開閉体２６は左右横長の板状体の下半部を占めており、その前面の中央に把手部６４が膨出形成されている。ガイド体２１および開閉体２６を直線状にスライド操作するために、洗浄開口２０の前側にスライド凹部８９を凹み形成し、同凹部８９の両側にガイド溝９０を設けた。また、ガイド体２１の左右両側と、開閉体２６の左右両側の合計４個所にスライド片９１を設けて、これらのスライド片９１をガイド溝９０で上下スライド自在に案内支持するようにした。
【００８２】
図２１（ａ）に示すように、開閉体２６が開放姿勢に切換えられた状態では、ガイド体２１の通水開口８７およびルーバー壁８８が洗浄開口２０に臨んで案内姿勢になるので、通水開口８７に向って流下された水道水をルーバー壁８８で斜め上向きに変向案内して、毛屑受部１７の上受部１７ａに向って流動させることができる。また、図２１（ｂ）および図２２に示すように、開閉体２６が閉止姿勢に切換えられた状態では、洗浄開口２０を開閉体２６で塞いで、毛屑が洗浄開口２０の外へ出るのを防止できる。
【００８３】
以上のように、ガイド体２１と開閉体２６を一体に設け、ガイド体２１および開閉体２６を上下にスライド操作して洗浄開口２０を開閉するガイド構造および開閉構造によれば、開閉体２６とガイド体２１が別に設けてある場合に比べて、開閉構造とガイド構造の全体構造を著しく簡素化して低コスト化できる。また、開閉体２６を上下にスライド操作して閉止姿勢と開放姿勢に切換えるので、指先が誤って開閉体２６やガイド体２１に接触した程度で姿勢が切換ることはなく、勘違いなどによる姿勢の切換りを極力避けることができる。
【００８４】
（実施例１２）  図２３に、実施例１２に係る水洗い式電気かみそりを示す。実施例１２では、実施例１１と同様に、板状体の上半部にガイド体２１を設け、板状体の下半部に開閉体２６を設けるが、ガイド体２１および開閉体２６を、洗浄開口２０の内面のスライド凹部８９に収容し、同凹部８９の両側に設けたガイド溝９０で、ガイド体２１および開閉体２６に設けた４個のスライド片９１を上下スライド可能に案内支持した。また、開閉体２６の前面に設けた横長リブ状の把手部６４を、洗浄開口２０から前方へ突出させるようにした。さらに、ガイド体２１の前後厚みを開閉体２６の前後厚みより大きく設定して、ルーバー壁８８の前後長さを大きくするようにした。
【００８５】
図２３（ａ）に示すように、開閉体２６が閉止姿勢に切換えられた状態では、洗浄開口２０を開閉体２６で塞いで、毛屑が洗浄開口２０の外へ出るのを防止できる。また、図２３（ｂ）に示すように、開閉体２６が開放姿勢に切換えられた状態では、ガイド体２１が案内姿勢になり、通水開口８７およびルーバー壁８８が洗浄開口２０に臨むので、通水開口８７に向って流下された水道水をルーバー壁８８で斜め上向きに変向案内して、毛屑受部１７の上受部１７ａに向って流動させることができる。このとき、ルーバー壁８８の前後長さが大きな分だけ、ルーバー壁８８で流動案内される水道水の指向性を高めることができるので、通水開口８７に向って流下された水道水を上受部１７ａに向ってさらに的確に送出することができる。
【００８６】
以上のように、ガイド体２１と開閉体２６を一体に設け、ガイド体２１および開閉体２６を上下にスライド操作して洗浄開口２０を開閉するガイド構造および開閉構造によれば、開閉体２６とガイド体２１が別に設けられている場合に比べて、開閉構造とガイド構造の全体構造を著しく簡素化して低コスト化できる。また、実施例１１と同様に、指先が誤って把手部６４や開閉体２６などに接触した程度で姿勢が切換ることはなく、勘違いなどによる姿勢の切換りを極力避けることができる。さらに、ガイド体２１および開閉体２６が洗浄開口２０の内面のスライド凹部８９に収容したので、本体ケース１に落下衝撃や衝突衝撃などの外部衝撃が作用するような場合でも、ガイド体２１や開閉体２６に外部衝撃が直接的に作用することを良く防止できる。
【００８７】
（実施例１３）  図２４および図２５に、実施例１３に係る水洗い式電気かみそりを示している。実施例１３では、円板状の板状体の上半部と下半部にガイド体２１と開閉体２６を設けて、板状体の後面に設けた中心軸９３を洗浄開口２０の下側の周縁壁で回転可能に軸支して、開閉体２６を回転スライド操作することにより、ガイド体２１を待機位置と案内位置に切換え操作できるようにした。洗浄開口２０は半円状に形成し、図２４に示すように開閉体２６が洗浄開口２０の下方に位置する開放姿勢において、ガイド体２１の通水開口８７およびルーバー壁８８が洗浄開口２０に臨むようにした。ガイド体２１および開閉体２６は、円形のスライド凹部８９に収容されて固定刃ホルダー８の前壁と面一になっており、開閉体２６の前面に設けたリブ状の把手部６４を回転操作することにより、姿勢を切換えることができる。
【００８８】
以上のように、ガイド体２１と開閉体２６を円板状の板状体の上半部と下半部に形成し、把手部６４を半回転操作することによりガイド体２１と開閉体２６の姿勢を切換えるようにしたガイド構造および開閉構造によれば、ガイド体２１および開閉体２６を往復スライド操作して姿勢を切換える場合に比べて、全体構造を簡素化してガイド構造および開閉構造を低コスト化できる。また、半円状の通水開口８７に向かって流下された水道水を複数のルーバー壁８８で流動案内するので、毛屑が溜まりやすい毛屑受部１７の左右中央に向って、より多くの水道水を流動案内して、毛屑受部１７に溜まっている毛屑の洗浄をさらに確実に行うことができる。さらに、指先が誤って開閉体２６やガイド体２１に接触した程度で開閉体２６が回転して姿勢が切換るのをよく防止できるので、勘違いなどによる姿勢の切換りをさらに確実に避けることができる。
【００８９】
（実施例１４）  図２６に、実施例１４に係る水洗い式電気かみそりを示す。実施例１４では、洗浄開口２０の内面を毛屑の通過は阻止するが、水道水の通過は許すフィルター９８で塞ぐようにした。フィルター９８は電鋳加工で形成されるニッケル製、またはニッケル合金製の金属メッシュからなり、シート状のフィルター９８の全面にわたって微細な穴が規則的に形成されている。洗浄開口２０の内面には、ガイド体２１を構成する５個のルーバー枠９５が多段状に配置されており、ルーバー枠９５の内面のフィルター凹部９４にフィルター９８が固定してある。つまり、ガイド体２１の内面にフィルター９８が配置されている。ルーバー枠９５は固定刃ホルダー８の成形時に同時に成型することができる。フィルター９８の上部は、固定刃７に対して伝熱可能に密着接続されており、この接続部分を符号９６で示している。必要があればガイド体２１は、微細な穴の穴形状や配置パターンが異なる複数の金属メッシュを重ねて構成することができる。
【００９０】
上記のように、フィルター９８で洗浄開口２０の内面を塞ぐと、単に水道水を洗浄開口２０に流下させるだけで、水道水を毛屑室１６の内部に導入して毛屑の洗浄を行うことができるので、より少ない手間で毛屑を水洗洗浄できる。ルーバー枠９５（ガイド体２１）の内面にフィルター９８が配置してあるので、フィルター９８に他物が接触するのをルーバー枠９５で遮って保護できるうえ、洗浄開口２０に流下された水道水をルーバー枠９５で斜め上向きに変向案内して、毛屑受部１７の上受部１７ａに向って流動させることができる。また、可動部分がないので姿勢切換えに伴う動作不良を生じる余地がなく、ガイド構造の信頼性を向上できる。さらに、フィルター９８が金属メッシュで形成してあると、フィルター９８が他の素材で形成されている場合に比べて、ガイド構造を簡素化して低コスト化できるうえ、フィルター９８の耐久性を向上できる。フィルター９８の上部が固定刃７に密着接続されているので、固定刃７の熱をフィルター９８に伝導して放熱させることができ、ひげ剃りに要する時間が長時間にわたるような場合でも、固定刃７が高温になることをよく防止できる。
【００９１】
（実施例１５）  図２７に、実施例１５に係る水洗い式電気かみそりを示す。実施例１５では、実施例１４と同様に、洗浄開口２０の内面を金属メッシュ製のフィルター９８で塞ぐが、独立部品からなるルーバー体９７を設けて、フィルター９８の内面側にルーバー体９７を固定する点が実施例１４と異なる。ルーバー体９７の内部には、ガイド体２１を構成するルーバー枠９５が多段状に設けられている。本実施例においても、フィルター９８の上部を固定刃７に密着接続して、固定刃７の熱をフィルター９８に伝導して放熱させるようにした。
【００９２】
上記のように、フィルター９８の内面側にルーバー体９７を固定すると、フィルター９８を通過した後の水道水をガイド体２１として機能するルーバー枠９５で斜め上向きに変向案内して、毛屑受部１７の上受部１７ａに向って流動させることができ、実施例１４のガイド構造に比べて、水道水を上受部１７ａに向かってさらに確実に流動案内できる。
【００９３】
（実施例１６）  図２８に、実施例１６に係る水洗い式電気かみそりを示す。実施例１６では、本体ケース１の前面上部に、固定刃ホルダー８と協同して毛屑室１６を区画する前仕切壁１００を設け、前仕切壁１００に洗浄開口２０を形成して、実施例１で説明したガイド体２１を兼ねる開閉体２６で、洗浄開口２０を開閉できるようにした。開閉体２６は、回動軸２３を中心にして前後に往復回動して、図２８に示すように洗浄開口２０を閉止する閉止姿勢と、洗浄開口２０を開放する開放姿勢の間で変位できる。開閉体２６が閉止姿勢になっているとき、ガイド体２１は待機姿勢になっており、開閉体２６が開放姿勢になっているとき、ガイド体２１は案内姿勢になって、洗浄開口２０に流下された水道水を毛屑受部１７へ向かって流動案内する。以上のように、洗浄開口２０は固定刃ホルダー８に形成する必要はなく、本体ケース１の前面上部の壁（毛屑室１６に臨むケース壁）に設けて、開閉構造やガイド構造を洗浄開口２０に設けるとよい。このように、洗浄開口２０は毛屑室１６に連通するケース壁に設けてあればよい。
【００９４】
上記の各実施例で説明した電気かみそりは、洗浄開口２０と、同開口２０を開閉する開閉体２６を備えているが、ガイド体２１は備えていない水洗い式電気かみそりとして以下の形態で実施することができる。もちろん、上記の実施例で説明したように、開閉体２６はガイド体２１の機能を発揮できるものであってもよい。
【００９５】
かみそりヘッド２に可動刃６と固定刃７とが設けられており、
固定刃７と、固定刃７を支持する固定刃ホルダー８で囲まれた毛屑室１６の底面に、毛屑を受止める毛屑受部１７が設けられており、
毛屑室１６に臨むケース壁に、毛屑室１６に連通する洗浄開口２０と、同開口２０を開閉する板状の開閉体２６とが設けられており、
開閉体２６は上下方向中途部の左右両側に設けた水平の回動軸２３で揺動開閉可能に支持されて、洗浄開口２０を閉止する閉止姿勢と、洗浄開口２０を開放する開放姿勢とに変位可能である。
【００９６】
上記の水洗い式電気かみそりによれば、開閉体２６は回動軸２３を中心にして揺動変位することにより、洗浄開口２０を閉止する閉止姿勢と、洗浄開口２０を開放する開放姿勢に切換えることができる。このように、開閉体２６が揺動開閉構造で構成されていると、開閉体２６がスライド開閉構造で構成されている場合に比べて、開閉構造を簡素化できるうえ洗浄開口２０を的確に開閉できる。また、洗浄開口２０を回動軸２３より上側の部分と、回動軸２３より下側の部分においてそれぞれ開放させて、洗浄開口２０の上下の開口部分から水道水を毛屑室１６内に供給して、毛屑室１６における毛屑洗浄を広範にわたって行える。例えば、水道水を回動軸２３より上側の部分から毛屑室１６内に流下させながら、回動軸２３より下側の部分を流れる水道水で、下受部１７ｂに溜まっている毛屑を洗い流すことができる。さらに、上下方向中途部が回動軸２３で揺動開閉可能に支持されている開閉体２６は、回動軸２３より上側の部分と、回動軸２３より下側の部分を押込み操作することで、開閉体２６を開放姿勢と閉止姿勢に切換えることができるので、例えば、開閉体２６を開放姿勢や閉止姿勢に移動付勢するばねを省略できる利点もある。
【００９７】
かみそりヘッド２に可動刃６と固定刃７とが設けられており、
固定刃７と、固定刃７を支持する固定刃ホルダー８で囲まれた毛屑室１６の底面に、毛屑を受止める毛屑受部１７が設けられており、
毛屑室１６に臨むケース壁に、毛屑室１６に連通する洗浄開口２０と、同開口２０を開閉する板状の開閉体２６とが設けられており、
開閉体２６は、開閉体２６の下半側に設けた水平の回動軸２３で揺動開閉可能に支持されて、洗浄開口２０を閉止する閉止姿勢と、洗浄開口２０を開放する開放姿勢とに変位可能である。
【００９８】
上記の水洗い式電気かみそりによれば、回動軸２３が開閉体２６の下半側に設けてあるので、開閉体２６が揺動開閉するときの回動軸２３より上側の部分のモーメントアームを、下側の部分のモーメントアームより大きくできる。そのため、上半側を操作して開閉体２６を開放操作することにより、開閉体２６をより軽快に開放できる。また、開閉体２６の回動軸２３より下側の部分の上下長さが小さいので、開閉体２６を開放操作した場合に、洗浄開口２０の外へ露出する開閉体２６の突出寸法を小さくでき、その分だけ蛇口の吐水部を洗浄開口２０に近付けた状態で水道水を適確に供給できる。
【００９９】
かみそりヘッド２に可動刃６と固定刃７とが設けられており、
固定刃７と、固定刃７を支持する固定刃ホルダー８で囲まれた毛屑室１６の底面に、毛屑を受止める毛屑受部１７が設けられており、
毛屑室１６に臨むケース壁に、毛屑室１６に連通する洗浄開口２０と、同開口２０を開閉する板状の開閉体２６とが設けられており、
開閉体２６は、開閉体２６の下半側に設けた水平の回動軸２３で揺動開閉可能に支持されて、洗浄開口２０を閉止する閉止姿勢と、洗浄開口２０を開放する開放姿勢とに変位可能であり、
開閉体２６の外面の上半部に、開閉体２６を開放操作する指受部２７が膨出形成されている。
【０１００】
開閉体２６をその下半側に設けた回動軸２３で開閉可能に支持し、開閉体２６の外面の上半部に、開閉体２６を開放操作する指受部２７が膨出形成されていると、指受部２７を押し込み操作することで、開閉体２６の開放操作を容易に行える。例えば、開閉体２６の上半部を直接押し込み操作する場合には、回動軸２３が開閉体２６の下半側に設けられているため、開放操作されたときの開閉体２６の上側の部分は、洗浄開口２０を越えて毛屑室１６の内部まで大きく入り込む。しかし、開閉体２６の外面に膨出形成した指受部２７は開閉体２６の上部より外側にあるので、開閉体２６を開放操作するとき、指が毛屑室１６の内部まで入り込むことがなく、開閉体２６の開閉操作を容易化できる。
【０１０１】
かみそりヘッド２に可動刃６と固定刃７とが設けられており、
固定刃７と、固定刃７を支持する固定刃ホルダー８で囲まれた毛屑室１６の底面に、毛屑を受止める毛屑受部１７が設けられており、
毛屑室１６に臨むケース壁に、毛屑室１６に連通する洗浄開口２０と、同開口２０を開閉する板状の開閉体２６が設けられており、
開閉体２６の外面の上半部に、開閉体２６を開放操作する指受部２７が膨出形成されており、
開閉体２６は、開閉体２６の下半側に設けた水平の回動軸２３で揺動開閉可能に支持されて、洗浄開口２０を閉止する閉止姿勢と、洗浄開口２０を開放する開放姿勢に変位可能であり、
指受部２７が、上下方向に長い複数の縦リブ２７ａで形成されている。
【０１０２】
上記のように、指受部２７が上下方向に長い複数の縦リブ２７ａで形成されていると、開閉体２６に衝突した水道水を一群の縦リブ２７ａで整然と分流案内することができる。従って、開閉体２６に衝突した水道水が拡散し、互いに衝突し合うのを解消して、水道水を毛屑室１６の内部および毛屑受部１７へ向かって整然と流動案内できる。
【０１０３】
かみそりヘッド２に可動刃６と固定刃７とが設けられており、
固定刃７と、固定刃７を支持する固定刃ホルダー８で囲まれた毛屑室１６の底面に、毛屑を受止める毛屑受部１７が設けられており、
毛屑室１６に臨むケース壁に、毛屑室１６に連通する洗浄開口２０と、同開口２０を開閉する板状の開閉体２６とが設けられており、
洗浄開口２０の周壁と開閉体２６の間に、互いに係合して開閉体２６を閉止位置、および開放位置において位置保持する節度構造が設けられている。
【０１０４】
上記のように、洗浄開口２０の周壁と開閉体２６の間に節度構造が設けられていると、開閉体２６を閉止位置または開放位置において確実に位置保持できる。従って、ひげ剃り時に開閉体２６が誤って開放操作され、あるいは毛屑洗浄時に開閉体２６が水流を受けて不用意に閉止移動するのを確実に防止できる。
【０１０５】
かみそりヘッド２に可動刃６と固定刃７とが設けられており、
固定刃７と、固定刃７を支持する固定刃ホルダー８で囲まれた毛屑室１６の底面に、毛屑を受止める毛屑受部１７が設けられており、
毛屑室１６に臨むケース壁に、毛屑室１６に連通する洗浄開口２０と、同開口２０を開閉する板状の開閉体２６とが設けられており、
洗浄開口２０の周壁と開閉体２６の間に、互いに係合して開閉体２６を閉止位置、および開放位置において位置保持する節度構造が設けられており、
節度構造が、開閉体２６の内面下部に設けた部分円弧状の節度アーム２４と、節度アーム２４の揺動軌跡に臨む固定壁との間に形成されて互いに凹凸係合する、可動節度体２８・２９と固定節度体３０とで形成されている。
【０１０６】
上記のように、開閉体２６に設けた部分円弧状の節度アーム２４と、節度アーム２４の揺動軌跡に臨む洗浄開口２０の周壁との間に設けた、可動節度体２８・２９および固定節度体３０で節度構造を構成すると、節度アーム２４と洗浄開口２０の周壁の対向面に節度構造を設けることができるので構造に無駄がないうえ、可動節度体２８・２９および固定節度体３０が凹凸係合することで、開閉体２６を閉止姿勢および開放姿勢において確実に位置保持できる。
【０１０７】
かみそりヘッド２に可動刃６と固定刃７とが設けられており、
固定刃７と、固定刃７を支持する固定刃ホルダー８で囲まれた毛屑室１６の底面に、毛屑を受止める毛屑受部１７が設けられており、
毛屑室１６に臨むケース壁に、毛屑室１６に連通する洗浄開口２０と、同開口２０を開閉する板状の開閉体２６とが設けられており、
開閉体２６に、開閉体２６が閉止位置を越えて揺動するのを阻止する閉止ストッパー３２と、開閉体２６が開放位置を越えて揺動するのを阻止する開放ストッパー３１とが設けられており、
開閉体２６が開放姿勢に切換えられた状態において、閉止ストッパー３２の上縁が毛屑受部１７より上方に位置されている。
【０１０８】
上記のように、開閉体２６に閉止ストッパー３２と開放ストッパー３１とが設けられていると、開閉体２６が誤って閉止位置を越えて閉止方向へ揺動操作されるのを閉止ストッパー３２で阻止でき、また、開閉体２６が誤って開放位置を越えて開放方向へ揺動操作されるのを開放ストッパー３１で阻止できる。因みに、節度構造のみで開閉体２６が閉止姿勢および開放姿勢に位置保持してある場合には、勘違いやいたずらによって開閉体２６が強制的に閉止位置を越えて揺動操作され、あるいは開閉体２６が強制的に開放位置を越えて揺動操作されるおそれがある。しかし、開閉体２６に閉止ストッパー３２や開放ストッパー３１が設けられていると、先のような勘違いやいたずらによる誤操作を確実に防止できる。また、開閉体２６が開放姿勢に切換えられた状態において、閉止ストッパー３２の上縁が毛屑受部１７より上方に位置されていると、洗浄開口２０に流下された水道水を開閉体２６の内面に沿って流動案内し、毛屑受部１７の側へ流下させて毛屑を洗い流すことができる。
【０１０９】
かみそりヘッド２に可動刃６と固定刃７とが設けられており、
固定刃７と、固定刃７を支持する固定刃ホルダー８で囲まれた毛屑室１６の底面に、毛屑を受止める毛屑受部１７が設けられており、
毛屑室１６に臨むケース壁に、毛屑室１６に連通する洗浄開口２０と、同開口２０を開閉する板状の開閉体２６とが設けられており、
開閉体２６は、洗浄開口２０を閉止する閉止姿勢と、洗浄開口２０を開放する開放姿勢の間で変位可能であり、
開閉体２６の内面上部に水流案内部３５が形成されており、
開閉体２６が開放姿勢に切換えられた状態において、開閉体２６の内面に沿って流動する洗浄水を水流案内部３５で毛屑受部１７へ向かって変向案内する。
【０１１０】
上記のように、開閉体２６の内面上部に水流案内部３５が設けられていると、開閉体２６が開放姿勢に切換えられた状態において、開閉体２６の内面に沿って流動する水道水を、水流案内部３５で毛屑受部１７へ向かって変向案内して、毛屑受部１７に溜まっている毛屑を、水道水の流動作用で直接的に洗い流すことができる。従って、毛屑受部１７に溜まっている毛屑を、水道水に単に浸漬させた状態で洗浄を行う従来の電気かみそりに比べて、毛屑受部１７に溜まっている毛屑を、短時間で効果的に洗い流すことができる。
【０１１１】
上記の実施例では、ロータリー式の可動刃６を備えた電気かみそりについて説明したが、本発明はレシプロ式の可動刃を備えている電気かみそりや、鉛直軸回りに回転駆動される可動刃を備えている電気かみそりにも適用できる。各実施例においては、洗浄開口２０の上端（上接当部３４）を毛屑受部１７の上受部１７ａより高い位置に位置させたが、その必要はなく、洗浄開口２０の上端は毛屑受部１７の上受部１７ａより低い位置に位置させてあってもよい。
【符号の説明】
【０１１２】
１  本体ケース
２  かみそりヘッド
５  起動スイッチ
６  可動刃
７  固定刃
８  固定刃ホルダー
１３  ヘッドケース
１４  内刃支持枠
１６  毛屑室
１７  毛屑受部
１７ａ  上受部
１７ｂ  下受部
２０  洗浄開口
２１  ガイド体
２３  回動軸
２４  節度アーム
２６  開閉体
２７  指受部
２７ａ  縦リブ
２８  可動節度体
２９  可動節度体
３０  固定節度体
３１  開放ストッパー
３２  閉止ストッパー
３３  下接当部
３４  上接当部
３５  水流案内部
４０  ルーバー板
４１  羽板
４２  ルーバー軸
４３  ピニオン
４４  ラック
４５  スライド摘み
４８  閉じばね
４９  凹部
５０  ラッチ腕
５３  開放ばね
５４  支持アーム
５５  切換具
５６  爪体
５７  係合片
５８  操作摘み
６５  受止壁
６６  規制壁
６８  連結ばね
７３  ガイド枠
７４  スライド溝
７８  逃げ面
８０  閉止壁
８１  スライド壁
８２  指掛リブ
８４  樋状部
８７  通水開口
８８  ルーバー壁
９０  ガイド溝
９３  中心軸
９５  ルーバー枠
９７  ルーバー体
１００  前仕切壁
【図１】
2020093070.tif 000003
【図２】
2020093070.tif 000004
【図３】
2020093070.tif 000005
【図４】
2020093070.tif 000006
【図５】
2020093070.tif 000007
【図６】
2020093070.tif 000008
【図７】
2020093070.tif 000009
【図８】
2020093070.tif 000010
【図９】
2020093070.tif 000011
【図１０】
2020093070.tif 000012
【図１１】
2020093070.tif 000013
【図１２】
2020093070.tif 000014
【図１３】
2020093070.tif 000015
【図１４】
2020093070.tif 000016
【図１５】
2020093070.tif 000017
【図１６】
2020093070.tif 000018
【図１７】
2020093070.tif 000019
【図１８】
2020093070.tif 000020
【図１９】
2020093070.tif 000021
【図２０】
2020093070.tif 000022
【図２１】
2020093070.tif 000023
【図２２】
2020093070.tif 000024
【図２３】
2020093070.tif 000025
【図２４】
2020093070.tif 000026
【図２５】
2020093070.tif 000027
【図２６】
2020093070.tif 000028
【図２７】
2020093070.tif 000029
【図２８】
2020093070.tif 000030